(57)【要約】      （修正有）【課題】外装筐体を共通化しつつ機種変更を容易に行うことができる操作端末を提供する。【解決手段】操作端末１は、互いに組み合わされる第１筐体４及び第２筐体を有する外装筐体３と、文字及び図形の少なくともいずれか一方を含む第１情報が設けられた情報表示板７Ｅ〜７Ｇとを備える。第１筐体４には、外装筐体３内外を連通する開口部が形成されているとともに、当該開口部に嵌合する透光性を有する嵌合部材７Ａ，７Ｂ，７Ｄが取り付けられている。情報表示板７Ｅ〜７Ｇは、嵌合部材７Ａ，７Ｂ，７Ｄを介して外装筐体３の外部から第１情報を視認可能な状態で、嵌合部材７Ａ，７Ｂ，７Ｄに係止される。【選択図】図６
0003186112.tif 000002
【実用新案登録請求の範囲】
【請求項１】
互いに組み合わされる第１筐体及び第２筐体を有する外装筐体と、
文字及び図形の少なくともいずれか一方を含む第１情報が設けられた情報表示板とを備え、
前記第１筐体には、
前記外装筐体内外を連通する開口部が形成されているとともに、前記開口部に嵌合する透光性を有する嵌合部材が取り付けられ、
前記情報表示板は、
前記嵌合部材を介して前記外装筐体の外部から前記第１情報を視認可能な状態で、前記第１筐体または前記嵌合部材に係止される
ことを特徴とする操作端末。
【請求項２】
前記外装筐体内部に収納される回路基板を備え、
前記情報表示板は、
入射した光を拡散する光拡散シートで構成され、
前記回路基板には、
前記情報表示板に向けて光を出射する発光素子が実装されている
ことを特徴とする請求項１に記載の操作端末。
【請求項３】
前記第１筐体には、
複数の前記開口部が形成されているとともに、前記複数の開口部にそれぞれ嵌合する複数の前記嵌合部材がそれぞれ取り付けられ、
前記複数の嵌合部材は、
前記第１筐体に固定される第１嵌合部材と、
外部からの力により前記外装筐体内部に向けて移動可能とする第２嵌合部材とを備え、
前記情報表示板は、
前記第１筐体または前記第１嵌合部材に係止され、前記第１嵌合部材を介して前記外装筐体の外部から前記第１情報を視認可能な状態に置かれる第１情報表示板と、
前記第１情報表示板に一体形成され、前記第２嵌合部材を介して前記外装筐体の外部から前記第１情報を視認可能な状態に置かれる第２情報表示板とを備え、
前記第２情報表示板は、
弾性変形により、ユーザ操作による前記第２嵌合部材の移動に連動する
ことを特徴とする請求項１または請求項２に記載の操作端末。
【請求項４】
前記第１情報表示板及び前記第２情報表示板に一体形成され、前記第１情報表示板及び前記第２情報表示板を接続する接続部を備え、
前記接続部は、
前記第１情報表示板及び前記第２情報表示板の各断面積よりも小さい断面積を有する
ことを特徴とする請求項３に記載の操作端末。
【請求項５】
前記第１筐体は、
前記外装筐体内部に向けて窪む凹部を有し、前記第２筐体に組み合わされる第１筐体本体と、
前記凹部に嵌合する蓋体とを備え、
前記蓋体には、
前記開口部が形成されているとともに、前記嵌合部材が取り付けられている
ことを特徴とする請求項１〜４のいずれか一つに記載の操作端末。
【請求項６】
前記第１筐体の表面には、
前記開口部を除く領域に、文字及び図形の少なくともいずれか一方を含む第２情報が印刷された印刷シートが貼り付けられている
ことを特徴とする請求項１〜５のいずれか一つに記載の操作端末。
【請求項７】
前記第１筐体は、
前記外装筐体内部に向けて窪む凹部を有し、前記第２筐体に組み合わされる第１筐体本体と、
前記凹部に嵌合する蓋体とを備え、
前記印刷シートは、
前記蓋体の表面に貼り付けられている
ことを特徴とする請求項６に記載の操作端末。
【考案の詳細な説明】
【技術分野】
【０００１】
本考案は、機械警備や出入管理等に用いられる操作端末に関する。
【背景技術】
【０００２】
従来、警備装置や出入管理装置等の外部装置を遠隔で操作する操作端末が知られている（例えば、非特許文献１参照）。
このような操作端末は、ユーザにより操作される側（前面側）に配設される前面側筐体と、背面側に配設され、前面側筐体に組み合わされる背面側筐体とを有する外装筐体を備える。
ここで、前面側筐体には、外装筐体内外を連通する開口部が形成されているとともに、ユーザ操作により外装筐体内部に向けて押下される操作ボタンが取り付けられている。
この操作ボタンの表面には、警備を開始するユーザ操作を促す「警備」の文字や警備を終了するユーザ操作を促す「解除」の文字（以下、文字情報と記載）がシルク印刷等により付されている。
【先行技術文献】
【非特許文献】
【０００３】
【非特許文献１】「綜合警備保障株式会社  商品総合カタログ  ２００５年度版」，  ２００５年３月，  P.71
【考案の概要】
【考案が解決しようとする課題】
【０００４】
ところで、複数の機種で外装筐体を共通化すれば、生産上の管理が簡略化され、生産コストを低減させることができる。
しかしながら、操作ボタンの表面に文字情報が印刷されている構成では、ある機種の操作端末を他の機種の操作端末に変更する際、当該機種に応じた文字情報をユーザに視認させる必要があるため、操作ボタンを交換する必要がある。
当該操作ボタンは、前面側筐体に超音波溶着等により取り付けられており、交換することは難しいものである。
したがって、外装筐体を共通化しつつ操作端末の機種変更を行うことが難しい、という問題がある。
【０００５】
本考案は、上記に鑑みてなされたものであって、外装筐体を共通化しつつ機種変更を容易に行うことができる操作端末を提供することを目的とする。
【課題を解決するための手段】
【０００６】
上述した課題を解決し、目的を達成するために、本考案に係る操作端末は、互いに組み合わされる第１筐体及び第２筐体を有する外装筐体と、文字及び図形の少なくともいずれか一方を含む第１情報が設けられた情報表示板とを備え、前記第１筐体には、前記外装筐体内外を連通する開口部が形成されているとともに、前記開口部に嵌合する透光性を有する嵌合部材が取り付けられ、前記情報表示板は、前記嵌合部材を介して前記外装筐体の外部から前記第１情報を視認可能な状態で、前記第１筐体または前記嵌合部材に係止されることを特徴とする。
【０００７】
また、本考案に係る操作端末は、上記考案において、前記外装筐体内部に収納される回路基板を備え、前記情報表示板は、入射した光を拡散する光拡散シートで構成され、前記回路基板には、前記情報表示板に向けて光を出射する発光素子が実装されていることを特徴とする。
【０００８】
また、本考案に係る操作端末は、上記考案において、前記第１筐体には、複数の前記開口部が形成されているとともに、前記複数の開口部にそれぞれ嵌合する複数の前記嵌合部材がそれぞれ取り付けられ、前記複数の嵌合部材は、前記第１筐体に固定される第１嵌合部材と、外部からの力により前記外装筐体内部に向けて移動可能とする第２嵌合部材とを備え、前記情報表示板は、前記第１筐体または前記第１嵌合部材に係止され、前記第１嵌合部材を介して前記外装筐体の外部から前記第１情報を視認可能な状態に置かれる第１情報表示板と、前記第１情報表示板に一体形成され、前記第２嵌合部材を介して前記外装筐体の外部から前記第１情報を視認可能な状態に置かれる第２情報表示板とを備え、前記第２情報表示板は、弾性変形により、ユーザ操作による前記第２嵌合部材の移動に連動することを特徴とする。
【０００９】
また、本考案に係る操作端末は、上記考案において、前記第１情報表示板及び前記第２情報表示板に一体形成され、前記第１情報表示板及び前記第２情報表示板を接続する接続部を備え、前記接続部は、前記第１情報表示板及び前記第２情報表示板の各断面積よりも小さい断面積を有することを特徴とする。
【００１０】
また、本考案に係る操作端末は、上記考案において、前記第１筐体は、前記外装筐体内部に向けて窪む凹部を有し、前記第２筐体に組み合わされる第１筐体本体と、前記凹部に嵌合する蓋体とを備え、前記蓋体には、前記開口部が形成されているとともに、前記嵌合部材が取り付けられていることを特徴とする。
【００１１】
また、本考案に係る操作端末は、上記考案において、前記第１筐体の表面には、前記開口部を除く領域に、文字及び図形の少なくともいずれか一方を含む第２情報が印刷された印刷シートが貼り付けられていることを特徴とする。
【００１２】
また、本考案に係る操作端末は、上記考案において、前記第１筐体は、前記外装筐体内部に向けて窪む凹部を有し、前記第２筐体に組み合わされる第１筐体本体と、前記凹部に嵌合する蓋体とを備え、前記印刷シートは、前記蓋体の表面に貼り付けられていることを特徴とする。
【考案の効果】
【００１３】
本考案に係る操作端末は、ユーザ操作を受け付ける操作ボタン等の上述した嵌合部材とは別に、第１筐体または嵌合部材に係止される上述した情報表示板を備える。このため、ある機種の操作端末を他の機種の操作端末に変更する際、情報表示板を第１筐体または嵌合部材から取り外し、当該他の機種に応じた第１情報が設けられた別の情報表示板を第１筐体または嵌合部材に係止させれば、操作端末を容易に他の機種に変更することができる。
以上のことから、外装筐体を共通化しつつ機種変更を容易に行うことができる、という効果を奏する。
【図面の簡単な説明】
【００１４】
【図１】図１は、本考案の実施の形態に係る操作端末を前面側から見た斜視図である。
【図２】図２は、図１に示す操作端末を第１筐体、回路基板、及び第２筐体に分解した分解斜視図である。
【図３】図３は、図１または図２に示す第１筐体を第１筐体本体及び蓋体に分解した分解斜視図である。
【図４】図４は、図３に示す第１筐体本体から樹脂フィルムを分解した分解斜視図である。
【図５】図５は、図３に示す蓋体から印刷シートを分解した状態を前面側から見た斜視図である。
【図６】図６は、図３に示す蓋体から第１，第２情報表示板を分解した状態を背面側から見た分解斜視図である。
【図７】図７は、図１または図２に示す第２筐体を前面側から見た斜視図である。
【考案を実施するための形態】
【００１５】
以下に、図面を参照して、本考案を実施するための形態（以下、実施の形態）について説明する。なお、以下に説明する実施の形態によって本考案が限定されるものではない。さらに、図面の記載において、同一の部分には同一の符号を付している。
【００１６】
〔操作端末の概略構成〕
図１は、本考案の実施の形態に係る操作端末１を前面側から見た斜視図である。図２は、操作端末１を第１筐体４、回路基板２、及び第２筐体５に分解した分解斜視図である。
なお、本実施の形態では、ユーザにより操作される側を「前面側」と記載し、その反対側を「背面側」と記載する。
操作端末１は、警備装置や出入管理装置等の外部装置（図示略）を遠隔で操作するために、当該外部装置の動作を指示するユーザ操作を受け付ける装置である。
この操作端末１は、図１または図２に示すように、回路基板２（図２）と、ユーザ操作を受け付ける第１〜第３操作ボタン７Ａ〜７Ｃが設けられた外装筐体３とを備える。
【００１７】
〔回路基板の構成〕
回路基板２は、制御回路（図示略）、通信回路（図示略）、複数の発光素子２Ａ（図４参照）、第１検出回路（図示略）、複数の第２検出回路（図示略）、及び音声出力回路（図示略）等の電子部品が実装されたプリント基板で構成されている。
そして、回路基板２は、表面が前面側を向き、裏面が背面側を向くように、外装筐体３内部に収納される。
制御回路は、回路基板２の表面に実装され、操作端末１を構成する各部に対応する指示やデータの転送等を行って操作端末１の動作を統括的に制御する。
通信回路は、回路基板２の表面に実装される。そして、通信回路は、ＩＤカードとの間で通信を行い、ＩＤカードから情報を取得する。
発光素子２Ａは、ＬＥＤ等で構成され、回路基板２の表面に実装される。そして、発光素子２Ａは、制御回路による制御の下、発光する。
【００１８】
第１検出回路は、スイッチ（図示略）を有し、回路基板２の裏面に実装される。そして、第１検出回路は、後述する第１，第２筐体４，５が組み合わされた際に第２筐体５により当該スイッチが押圧された状態となり、第２筐体５に対して第１筐体４が取り外された際に当該スイッチが押圧されていない元の状態に戻る。すなわち、第１検出回路は、スイッチの押圧状態により、第２筐体５に対して第１筐体４が取り外されたことを検出する。
第２検出回路は、スイッチ（図示略）を有し、回路基板２の表面に実装される。そして、第２検出回路は、ユーザ操作による第１〜第３操作ボタン７Ａ〜７Ｃの押圧状態を検出する。
音声出力回路は、回路基板２の表面に実装され、音声を出力する。
【００１９】
〔外装筐体の構成〕
外装筐体３は、図１または図２に示すように、第１筐体４と、第２筐体５とを備え、全体で略直方体形状を有する。
そして、第１，第２筐体４，５は、図２に示すように、回路基板２の表裏面にそれぞれ対向する側から互いに組み合わされる。
【００２０】
〔第１筐体の構成〕
図３は、第１筐体４を第１筐体本体６及び蓋体７に分解した分解斜視図である。
第１筐体４は、図１または図２に示すように、第２筐体５の前面側に配設される。
この第１筐体４は、図３に示すように、第１筐体本体６と、第１〜第３操作ボタン７Ａ〜７Ｃが設けられた蓋体７とを備え、二重構造で構成されている。
【００２１】
〔第１筐体本体の構成〕
図４は、第１筐体本体６から樹脂フィルム６Ａを分解した分解斜視図である。
第１筐体本体６は、樹脂材料からなる成型品であり、図４に示すように、第１筐体側主面部６１と、筐体側第１〜第４壁部６２〜６５とを備え、全体で略容器形状を有する。
第１筐体側主面部６１は、矩形状の板体で構成され、回路基板２を支持する。
具体的に、回路基板２は、その表面が第１筐体側主面部６１の裏面（背面）に対向する状態で、ネジ（図示略）により第１筐体側主面部６１の裏面（後述する第１凹部６１１における底部分の裏面）に固定される。
この第１筐体側主面部６１には、図４に示すように、回路基板２の表面に向けて窪む第１凹部６１１が形成されている。
【００２２】
第１凹部６１１は、平面視で（前面側から見て）、矩形状の第１筐体側主面部６１における４つの辺縁（外縁）のうち、一の辺縁６１Ａから、当該一の辺縁６１Ａに対向する他の辺縁６１Ｂまで長手方向に沿って延在するように形成されている。
この第１凹部６１１の底部分には、図４に示すように、筐体側第１〜第５開口部６１１Ａ〜６１１Ｄ，６１１Ｈと、押圧用開口部６１１Ｅ〜６１１Ｇと、筐体側音声出力用孔６１１Ｉと、筐体側固定用孔６１１Ｊとが形成されている。
【００２３】
筐体側第１〜第５開口部６１１Ａ〜６１１Ｄ，６１１Ｈは、回路基板２に実装された複数の発光素子２Ａに対向する位置にそれぞれ形成され、複数の発光素子２Ａからの光をそれぞれ通過させる。
より具体的に、筐体側第１開口部６１１Ａは、一の辺縁６１Ａ側に形成され、第１凹部６１１の幅方向に沿って延在するスリット形状を有する。
筐体側第２，第３開口部６１１Ｂ，６１１Ｃは、第１凹部６１１における延在方向の中心位置よりも筐体側第１開口部６１１Ａ側にそれぞれ形成され、第１凹部６１１の幅方向に沿って並設されている。
筐体側第４開口部６１１Ｄは、他の辺縁６１Ｂ側に形成されている。
筐体側第５開口部６１１Ｈは、第１凹部６１１の略中心位置に形成されている。
【００２４】
押圧用開口部６１１Ｅ〜６１１Ｇは、回路基板２に実装された複数の第２検出回路（スイッチ）に対向する位置（筐体側第２〜第４開口部６１１Ｂ〜６１１Ｄに近接する位置）にそれぞれ形成されている。
これら押圧用開口部６１１Ｅ〜６１１Ｇの内部には、略Ｕ字形状を有し、当該Ｕ字の両端部が押圧用開口部６１１Ｅ〜６１１Ｇの縁部分に接続し、前面側または背面側に揺動可能とする揺動部６１１Ｋ〜６１１Ｍがそれぞれ設けられている。
そして、ユーザ操作により第１〜第３操作ボタン７Ａ〜７Ｃが押圧された際に、当該第１〜第３操作ボタン７Ａ〜７Ｃとともに揺動部６１１Ｋ〜６１１Ｍが背面側にそれぞれ押下され、当該揺動部６１１Ｋ〜６１１Ｍにより回路基板２に実装された複数の第２検出回路（スイッチ）がそれぞれ押圧されることとなる。
【００２５】
筐体側音声出力用孔６１１Ｉは、回路基板２に実装された音声出力回路に対向する位置（第１凹部６１１における延在方向の中心位置よりも他の辺縁６１Ｂ側の位置）に形成されている。そして、筐体側音声出力用孔６１１Ｉは、回路基板２に実装された音声出力回路からの音声を外部に出力する。
筐体側固定用孔６１１Ｊは、第１，第２筐体４，５を互いに固定するための孔であり、筐体側音声出力用孔６１１Ｉに対して他の辺縁６１Ｂ側に形成されている。
【００２６】
また、第１凹部６１１の底部分の表面（前面）には、図３または図４に示すように、樹脂フィルム６Ａが貼り付けられている。
さらに、第１凹部６１１の底部分の表面（前面）には、空気は通すが水は通さない特性を有する樹脂フィルム（図示略）が筐体側音声出力用孔６１１Ｉを閉塞するように貼り付けられている。
なお、樹脂フィルム６Ａの構成については、後述する。
【００２７】
筐体側第１〜第４壁部６２〜６５は、第１筐体側主面部６１の外縁に立設された矩形状の板体でそれぞれ構成され、隣接する他の壁部と接続して全体で略矩形枠形状を有する。
また、筐体側第１〜第４壁部６２〜６５の先端は、同一平面上に位置する平坦状に形成され、第１，第２筐体４，５が互いに組み合わされた状態で、第２筐体５に当接する。
これら筐体側第１〜第４壁部６２〜６５のうち、第１筐体側主面部６１における一の辺縁６１Ａ、及び当該一の辺縁６１Ａに対向する他の辺縁６１Ｂに位置する筐体側第１，第２壁部６２，６３には、図４に示すように、第２凹部６２１，６３１がそれぞれ形成されている。
【００２８】
第２凹部６２１は、筐体側第１壁部６２において、当該筐体側第１壁部６２に対向する筐体側第２壁部６３に向けて窪む凹部であり、第１筐体側主面部６１に接続する基端から先端に向けて延在するように形成されている。すなわち、第２凹部６２１は、第１凹部６１１に連設されている。
なお、第２凹部６２１の幅寸法は、第１凹部６１１の幅寸法と同一に設定されている。
この第２凹部６２１の底部分には、筐体側第２壁部６３に向けて窪み、蓋体７を第１筐体本体６に係止するための一対の係止用凹部６２１Ａが形成されている。
他の第２凹部６３１については、具体的な説明は省略するが、第２凹部６２１（一対の係止用凹部６２１Ａも含む）と同様の形状を有するものである。
【００２９】
〔樹脂フィルムの構成〕
樹脂フィルム６Ａは、ＰＥＴ（Polyethylene terephthalate）フィルムで構成され、図３または図４に示すように、筐体側第１〜第５開口部６１１Ａ〜６１１Ｄ，６１１Ｈ、及び押圧用開口部６１１Ｅ〜６１１Ｇを閉塞するように第１凹部６１１の底部分の表面（前面）に貼り付けられている。
この樹脂フィルム６Ａは、光を透過させるが水は通さない特性を有する。すなわち、樹脂フィルム６Ａにて筐体側第１〜第４開口部６１１Ａ〜６１１Ｄを閉塞した状態でも、発光素子２Ａからの光は、筐体側第１〜第４開口部６１１Ａ〜６１１Ｄ及び樹脂フィルム６Ａを介して、第１筐体本体６外部に進むこととなる。また、樹脂フィルム６Ａにて各開口部６１１Ａ〜６１１Ｈを閉塞することで、当該開口部６１１Ａ〜６１１Ｈを介して、第１筐体本体６内部に水が浸入することを防止することができる。
【００３０】
また、この樹脂フィルム６Ａは、可撓性を有する。さらに、この樹脂フィルム６Ａは、押圧用開口部６１１Ｅ〜６１１Ｇに対向する位置に、エンボス加工により、前面側に膨出したボタン部６Ａ１〜６Ａ３が形成されている。すなわち、樹脂フィルム６Ａにて押圧用開口部６１１Ｅ〜６１１Ｇを閉塞した状態でも、ユーザ操作により第１〜第３操作ボタン７Ａ〜７Ｃが押圧されれば、第１〜第３操作ボタン７Ａ〜７Ｃの押下に伴って樹脂フィルム６Ａ（ボタン部６Ａ１〜６Ａ３）が撓むこととなる。このため、第１〜第３操作ボタン７Ａ〜７Ｃの操作を揺動部６１１Ｋ〜６１１Ｍに伝達することが可能となる。
【００３１】
〔蓋体の構成〕
図５は、蓋体７から印刷シート７Ｈを分解した状態を前面側から見た斜視図である。図６は、蓋体７から第１，第２情報表示板７Ｅ〜７Ｇを分解した状態を背面側から見た分解斜視図である。
蓋体７は、樹脂材料からなる成型品であり、図５または図６に示すように、蓋体側主面部７１と、蓋体側第１，第２壁部７２，７３とを備え、断面視で略Ｕ字形状を有する。
蓋体側主面部７１は、第１凹部６１１の大きさと略同一の大きさを有する矩形状の板体で構成され、第１凹部６１１に嵌合して第１凹部６１１を閉塞する。
この蓋体側主面部７１には、図５または図６に示すように、蓋体側第１〜第４開口部７１１〜７１４（図５）と、蓋体側音声出力用孔７１５と、蓋体側固定用孔７１６（図６）とが形成されている。
なお、蓋体側第１〜第４開口部７１１〜７１４は、本考案に係る開口部に相当する。
【００３２】
蓋体側第１〜第４開口部７１１〜７１４は、筐体側第１〜第４開口部６１１Ａ〜６１１Ｄに対向する位置にそれぞれ形成されている。そして、蓋体側第１〜第４開口部７１１〜７１４は、筐体側第１〜第４開口部６１１Ａ〜６１１Ｄと同様に、複数の発光素子２Ａからの光をそれぞれ通過させる。
より具体的に、蓋体側第１〜第４開口部７１１〜７１４は、筐体側第１〜第４開口部６１１Ａ〜６１１Ｄとそれぞれ略同一形状を有する。
そして、蓋体側主面部７１には、図５または図６に示すように、第１〜第３操作ボタン７Ａ〜７Ｃと透光性部材７Ｄとが取り付けられている。
なお、透光性部材７Ｄ及び第１〜第３操作ボタン７Ａ〜７Ｃの構成については、後述する。
【００３３】
蓋体側音声出力用孔７１５は、筐体側音声出力用孔６１１Ｉに対向する位置に形成されている。そして、蓋体側音声出力用孔７１５は、筐体側音声出力用孔６１１Ｉと同様に、回路基板２に実装された音声出力回路からの音声を外部に出力する。
蓋体側固定用孔７１６は、第１，第２筐体４，５を互いに固定するための孔であり、筐体側固定用孔６１１Ｊに対向する位置に形成されている。
そして、蓋体側主面部７１の表面（前面）には、図５に示すように、蓋体側固定用孔７１６を閉塞するカバー部材７１６Ａが取り付けられている。
以上説明した筐体側主面部７１の表面（前面）には、図３または図５に示すように、印刷シート７Ｈが貼り付けられている。
なお、印刷シート７Ｈの構成については、後述する。
【００３４】
蓋体側第１，第２壁部７２，７３は、蓋体側主面部７１における互いに対向する２つの外縁にそれぞれ立設され、第２凹部６２１，６３１の大きさと略同一の大きさを有する矩形状の板体でそれぞれ構成されている。そして、蓋体側第１，第２壁部７２，７３は、第２凹部６２１，６３１にそれぞれ嵌合して第２凹部６２１，６３１をそれぞれ閉塞する。
蓋体側第１壁部７２において、蓋体側第２壁部７３に対向する面には、図６に示すように、蓋体側第２壁部７３に向けて突出し、蓋体７を第１筐体本体６に取り付けた際に、第２凹部６２１の一対の係止用凹部６２１Ａにそれぞれ係止される一対の係止用突起７２１が形成されている。
なお、蓋体側第２壁部７３にも、上述した一対の係止用突起７２１と同様の一対の係止用突起７３１（第２凹部６３１の一対の係止用凹部にそれぞれ係止される一対の係止用突起）が形成されている。
【００３５】
〔透光性部材及び第１〜第３操作ボタンの構成〕
透光性部材７Ｄは、図５または図６に示すように、蓋体側第１開口部７１１と略同一の形状を有し、蓋体側主面部７１に対して、例えば、超音波溶着等により固定される。そして、透光性部材７Ｄは、蓋体側主面部７１に固定された状態で、蓋体側第１開口部７１１に嵌合し、当該蓋体側第１開口部７１１を閉塞する。
第１，第２操作ボタン７Ａ，７Ｂは、図５または図６に示すように、蓋体側第２，第３開口部７１２，７１３と略同一の形状を有し、当該蓋体側第２，第３開口部７１２，７１３にそれぞれ嵌合し、当該蓋体側第２，第３開口部７１２，７１３をそれぞれ閉塞する。
以上説明した透光性部材７Ｄ及び第１，第２操作ボタン７Ａ，７Ｂは、透明樹脂材料からなる一体成型品で構成されている。
【００３６】
具体的に、第１，第２操作ボタン７Ａ，７Ｂは、図６に示すように、２つの支持部７Ｄ１により、透光性部材７Ｄにそれぞれ接続されている。
２つの支持部７Ｄ１は、その材料の剛性や形状等により、弾性変形を可能とする。
すなわち、透光性部材７Ｄが蓋体側主面部７１に固定された状態で、第１，第２操作ボタン７Ａ，７Ｂがユーザにより押圧されていない場合には、各２つの支持部７Ｄ１が弾性変形しない。このため、第１，第２操作ボタン７Ａ，７Ｂは、蓋体側第２，第３開口部７１２，７１３にそれぞれ嵌合した状態となる。
一方、第１，第２操作ボタン７Ａ，７Ｂがユーザにより押圧された場合には、第１，第２操作ボタン７Ａ，７Ｂの押下に伴って各２つの支持部７Ｄ１が弾性変形する。このため、第１，第２操作ボタン７Ａ，７Ｂは、各２つの支持部７Ｄ１を支点として、背面側に押下される。そして、第１，第２操作ボタン７Ａ，７Ｂは、樹脂フィルム６Ａ（ボタン部６Ａ１，６Ａ２）及び揺動部６１１Ｋ，６１１Ｌを介して、回路基板２に実装された第２検出回路（スイッチ）を押圧することとなる。
【００３７】
第３操作ボタン７Ｃは、図５または図６に示すように、蓋体側第４開口部７１４と略同一の形状を有し、第１，第２操作ボタン７Ａ，７Ｂと同様に揺動可能な状態で、蓋体側主面部７１に対して、例えば、超音波溶着等により固定される。そして、第３操作ボタン７Ｃは、蓋体側主面部７１に固定された状態で、蓋体側第４開口部７１４に嵌合し、当該蓋体側第４開口部７１４を閉塞する。
以上説明した透光性部材７Ｄ、及び第１〜第３操作ボタン７Ａ〜７Ｃは、本考案に係る嵌合部材に相当する。また、透光性部材７Ｄが本考案に係る第１嵌合部材に相当し、第１，第２操作ボタン７Ａ，７Ｂが本考案に係る第２嵌合部材に相当する。
また、上述した一体成型品で構成された透光性部材７Ｄ及び第１，第２操作ボタン７Ａ，７Ｂの裏面（背面）には、図６に示すように、第１情報表示板７Ｅ及び２つの第２情報表示板７Ｆ，７Ｇが係止されている。
【００３８】
〔第１，第２情報表示板の構成〕
先ず、第１，第２情報表示板７Ｅ〜７Ｇの構成を説明する前に、透光性部材７Ｄに設けられた第１，第２情報表示板７Ｅ〜７Ｇの係止構造について説明する。
透光性部材７Ｄの裏面には、図６に示すように、第１情報表示板７Ｅが内部に嵌め込まれる（係止される）矩形枠状の枠状突起７Ｄ２が形成されている。
また、枠状突起７Ｄ２には、一部が切り欠かれ、第１情報表示板７Ｅが枠状突起７Ｄ２内部に嵌め込まれた際に、第１情報表示板７Ｅと２つの第２情報表示板７Ｆ，７Ｇとを接続する４つの接続部７Ｅ１がそれぞれ挿通される４つの切欠部７Ｄ３が形成されている。
【００３９】
第１情報表示板７Ｅは、入射した光を拡散する光拡散シートで構成され、透光性部材７Ｄの枠状突起７Ｄ２内部に嵌め込まれる。そして、第１情報表示板７Ｅの表面には、ユーザに異常を知らせる異常情報（第１情報）が印刷されている。
具体的に、第１情報表示板７Ｅの表面には、異常情報として、「戸締り異常」の文字が印刷されている。
すなわち、異常が生じた場合には、回路基板２に実装された制御回路による制御の下、第１情報表示板７Ｅに対向する発光素子２Ａが点灯し、当該発光素子２Ａから第１情報表示板７Ｅに向けて光が出射される。そして、ユーザは、第１情報表示板７Ｅにおける光の拡散により、第１情報表示板７Ｅの発光状態により、上述した異常情報を認識することとなる。
【００４０】
第２情報表示板７Ｆ，７Ｇは、第１情報表示板７Ｅと同様に、入射した光を拡散する光拡散シートで構成され、操作ボタン７Ａ，７Ｂの裏面に位置付けられる。そして、第２情報表示板７Ｆ，７Ｇの表面には、ユーザに操作を促す操作情報（第１情報）がそれぞれ印刷されている。
具体的に、第２情報表示板７Ｆの表面には、操作情報として、警備を開始するユーザ操作を促す「警備」の文字が印刷されている。
また、第２情報表示板７Ｇの表面には、操作情報として、警備を終了するユーザ操作を促す「解除」の文字が印刷されている。
すなわち、ユーザは、第２情報表示板７Ｆ，７Ｇに対向する発光素子２Ａが点灯することで、第２情報表示板７Ｆ，７Ｇにおける光の拡散により、第１，第２操作ボタン７Ａ，７Ｂを介して、上述した操作情報を認識することとなる。
以上説明した第２情報表示板７Ｆ，７Ｇは、図６に示すように、２つの接続部７Ｅ１により、第１情報表示板７Ｅにそれぞれ一体形成されている。
【００４１】
接続部７Ｅ１は、図６に示すように、その厚みが第１，第２情報表示板７Ｅ〜７Ｇと同一であり、蓋体側主面部７１の幅方向に沿った長さ寸法が第１，第２情報表示板７Ｅ〜７Ｇの長さ寸法よりも短い。すなわち、接続部７Ｅ１は、第１，第２情報表示板７Ｅ〜７Ｇの断面積よりも小さい断面積を有し、弾性変形を可能とする。
このため、第２情報表示板７Ｆ，７Ｇは、第１情報表示板７Ｅが透光性基板７Ｄに係止された状態で、各２つの接続部７Ｅ１の弾性変形により、ユーザ操作による操作ボタン７Ａ，７Ｂの移動にそれぞれ連動することとなる。
【００４２】
〔印刷シートの構成〕
印刷シート７Ｈは、図５に示すように、蓋体側主面部７１における蓋体側第１〜第４開口部７１１〜７１４、蓋体側音声出力用孔７１５、及びカバー部材７１６Ａにそれぞれ対応したシール側第１〜第４開口部７Ｈ１〜７Ｈ４、シール側音声出力用孔７Ｈ５、及びシール側固定用開口部７Ｈ６を有する。
そして、印刷シート７Ｈは、蓋体側主面部７１の表面（前面）において、蓋体側第１〜第４開口部７１１〜７１４、蓋体側音声出力用孔７１５、及びカバー部材７１６Ａを除く領域に貼り付けられる。
この印刷シート７Ｈは、ＰＥＴフィルム等の樹脂フィルムの裏面に印刷を施し、当該裏面に蓋体側主面部７１への貼り付け用の粘着テープを貼り付けたものである。
例えば、上記印刷としては、外装筐体３の色味に合わせた色を背景とし、会社名、ロゴマーク、製品番号等の文字情報（第２情報）を含ませた印刷が例示できる。
【００４３】
〔第２筐体の構成〕
図７は、第２筐体５を前面側から見た斜視図である。
第２筐体５は、樹脂材料からなる成型品であり、図７に示すように、第２筐体側主面部５１と、筐体側第５〜第８壁部５２〜５５とを備え、全体で略容器形状を有する。
第２筐体側主面部５２は、矩形状の板体で構成されている。
この第２筐体側主面部５２には、図７に示すように、配線用開口部５２１と、設置用開口部５２２と、収容部５２３と、固定用ボス５２４とが形成されている。
配線用開口部５２１は、外部から回路基板２に接続するための信号線が挿入される開口である。
設置用開口部５２２は、操作端末１を屋内や屋外の壁等に設置する際にネジ等を挿通するための開口である。
収容部５２３は、前面側に窪む凹部であり、上記信号線の余剰分を収容する配線だまりである。
固定用ボス５２４は、筐体側固定用孔６１１Ｊに対向する位置に形成されている。そして、固定用ボス５２４は、内部にネジ孔５２４Ａが形成され、第１，第２筐体４，５を互いに固定するために用いられる。
【００４４】
筐体側第５〜第８壁部５２〜５５は、第２筐体側主面部５１の外縁に立設された矩形状の板体でそれぞれ構成され、隣接する他の壁部と接続して全体で略矩形枠形状を有する。
また、筐体側第５〜第８壁部５２〜５５の先端は、同一平面上に位置する平坦状に形成されている。
そして、筐体側第５〜第８壁部５２〜５５の先端において、矩形枠状の内側部分には、第１，第２筐体４，５の間に配設される防水用のパッキング部材８が設けられている。
以上説明した第２筐体５及びパッキング部材８は、異なる樹脂材料（例えば、パッキング部材８にはエラストマを採用）から構成され、異材成型（二色成型）による一体成型品で構成されている。
【００４５】
〔操作端末の組み立て〕
そして、操作端末１は、以下に示すように組み立てられる。
先ず、作業者は、第１筐体本体６に対して、裏面に回路基板２を取り付けるとともに、第１凹部６１１の底部分に樹脂フィルム６Ａを貼り付ける。そして、作業者は、第１筐体本体６の第１，第２凹部６１１，６２１，６３１に蓋体７を嵌合して、第１筐体４を組み立てる。
次に、作業者は、第１，第２筐体４，５を組み合わせる。そして、作業者は、固定ネジＳｃ（図６参照）を第１筐体４の前面側から蓋体側固定用孔７１６に挿通し、筐体側固定用孔６１１Ｊを介して、固定用ボス５２４のネジ孔５２４Ａに締結する。すなわち、蓋体７、第１筐体本体６、及び第２筐体５は、固定ネジＳｃにより、共締めされる。この後、作業者は、カバー部材７１６Ａを蓋体７に取り付け、蓋体側固定用孔７１６を閉塞する。
以上のように操作端末１が組み立てられた状態では、第１筐体４における筐体側第１〜第４壁部６２〜６５の先端と、第２筐体５における筐体側第５〜第８壁部５２〜５５の先端とが当接する。また、筐体側第１〜第４壁部６２〜６５内にパッキング部材８が嵌合し、当該パッキング部材８が筐体側第１〜第４壁部６２〜６５内面に密着した状態となる。
【００４６】
以上説明した本実施の形態では、操作端末１は、透光性部材７Ｄや第１〜第３操作ボタン７Ａ〜７Ｃとは別に、透光性部材７Ｄに係止される第１，第２情報表示板７Ｅ〜７Ｇを備える。このため、本実施の形態で説明した操作端末１を他の機種の操作端末に変更する際には、先ず、第１，第２情報表示板７Ｅ〜７Ｇを透光性部材７Ｄから取り外す。そして、当該他の機種に応じた第１情報（例えば、異常情報として「電子錠異常」の文字、操作情報として「ＯＫ」、「ＮＧ」の文字）が印刷された別の第１，第２情報表示板を透光性部材７Ｄに係止させる。この作業により、操作端末１を容易に他の機種に変更することができる。
したがって、外装筐体３を共通化しつつ機種変更を容易に行うことができる。
【００４７】
また、本実施の形態では、第１，第２情報表示板７Ｅ〜７Ｇは、光拡散シートで構成され、回路基板２に実装された発光素子２Ａからの光を拡散させる。
このため、周囲が暗い場所であっても、第１，第２情報表示板７Ｅ〜７Ｇによる光の拡散により、ユーザに異常情報や操作情報を認識させることができる。また、第１，第２情報表示板７Ｅ〜７Ｇにて光が拡散されるため、操作端末１の外部から外装筐体３内部（発光素子２Ａ等）が視認されることがなく、操作端末１の見栄えを良くすることができる。
【００４８】
また、本実施の形態では、第１，第２情報表示板７Ｅ〜７Ｇは、一体形成されている。  また、第１情報表示板７Ｅは、透光性基板７Ｄに係止される。そして、第２情報表示板７Ｆ，７Ｇは、弾性変形により、ユーザ操作による第１，第２操作ボタン７Ａ，７Ｂの移動にそれぞれ連動する。
このため、第１，第２操作ボタン７Ａ，７Ｂの裏面（背面）に第２情報表示板７Ｆ，７Ｇを係止するための係止構造を設ける必要がなく、第１，第２情報表示板７Ｅ〜７Ｇを係止するための係止構造を簡素化することができる。また、第１，第２情報表示板７Ｅ〜７Ｇが一体形成されているため、透光性部材７Ｄに対して第１，第２情報表示板７Ｅ〜７Ｇを一括に係止させることができ、操作端末１を他の機種に変更する際に、第１，第２情報表示板７Ｅ〜７Ｇを容易に交換することができる。
【００４９】
また、本実施の形態では、操作端末１は、第１，第２情報表示板７Ｅ〜７Ｇに一体形成され、第１情報表示板７Ｅと第２情報表示板７Ｆ，７Ｇとを接続する接続部７Ｅ１を備える。そして、接続部７Ｅ１は、第１，第２情報表示板７Ｅ〜７Ｇの各断面積よりも小さい断面積を有する。
このため、接続部７Ｅ１を弾性変形させることが容易となり、ユーザ操作による第１，第２操作ボタン７Ａ，７Ｂの移動に第２情報表示板７Ｆ，７Ｇを容易に連動させることができる。
【００５０】
また、本実施の形態では、第１筐体４は、第１筐体本体６と蓋体７との二重構造で構成されている。そして、第１，第２情報表示板７Ｅ〜７Ｇは、蓋体７に取り付けられた透光性基板７Ｄに係止される。
このため、操作端末１を他の機種に変更する際には、蓋体７を取り外して第１，第２情報表示板７Ｅ〜７Ｇを交換すればよく、第２筐体５に対して第１筐体本体６を取り外す必要がない。すなわち、第１，第２情報表示板７Ｅ〜７Ｇの交換時に、回路基板２が露出することがなく、回路基板２に不具合が生じることがない。
【００５１】
ところで、従来では、操作端末の外面に表示する会社名、ロゴマーク、製品番号等の文字情報については、外装筐体を塗装した後、シルク印刷を行うことで形成していた。
しかしながら、このようなシルク印刷は、工賃が高いものである。また、外装筐体自体も高価なものであり、シルク印刷が失敗した場合の損失も大きいものである。
本実施の形態では、蓋体７の表面には、上述した文字情報が印刷された印刷シート７Ｈが貼り付けられている。
このため、従来のシルク印刷と比較して安価な印刷シート７Ｈを利用することで、操作端末１の製造コストも低減させることができる。また、万が一、印刷シート７Ｈの貼り付けを間違った場合であっても、印刷シート７Ｈを貼り替えることで、第１筐体４を無駄にすることがない。さらに、印刷シート７Ｈに印刷する背景の色味を異なるものとすれば、機種毎に異なる見栄えの操作端末を製造することができる。
【００５２】
（本実施の形態の変形例）
ここまで、本考案を実施するための形態を説明してきたが、本考案は上述した実施の形態によってのみ限定されるべきものではない。
上述した実施の形態では、透光性部材７Ｄに第１，第２情報表示板７Ｅ〜７Ｇが係止されていたが、これに限られず、蓋体側主面部７１の裏面や、第１凹部６１１の底部分に係止される構造を採用しても構わない。
また、上述した実施の形態では、第１情報は、第１，第２情報表示板７Ｅ〜７Ｇに印刷されていたが、これに限らず、第１，第２情報表示部７Ｅ〜７Ｇに刻印しても構わない。
また、上述した実施の形態では、第１筐体４は、第１筐体本体６と蓋体７との二重構造で構成されていたが、これに限られず、一つの部材で構成された構造であっても構わない。
【００５３】
また、上述した実施の形態では、本発明に係る第１情報として、異常情報や操作情報を採用したが、これに限られず、例えば、上述した実施の形態で説明した文字情報等を採用しても構わない。
また、上述した実施の形態では、本発明に係る第１，第２情報として、文字のみを含む異常情報、操作情報、及び文字情報を採用したが、文字及び図形の少なくともいずれか一方を含んでいれば、これに限られない。
また、上述した実施の形態では、樹脂フィルム６Ａは、第１凹部６１１の底部分の表面（前面）に貼り付けられていたが、これに限られず、第１凹部６１１の底部分であれば、当該底部分の裏面（背面）に貼り付けても構わない。
また、上述した実施の形態では、警備装置または出入管理装置を遠隔で操作する操作端末を例に説明したが、例えば、エアコン、照明、及び電動カーテン等の装置を遠隔で操作する操作端末に適用しても構わない。
【符号の説明】
【００５４】
１  操作端末
２  回路基板
２Ａ  発光素子
３  外装筐体
４  第１筐体
５  第２筐体
６  第１筐体本体
６Ａ  樹脂フィルム
６Ａ１〜６Ａ３  ボタン部
７  蓋体
７Ａ〜７Ｃ  第１〜第３操作ボタン
７Ｄ  透光性部材
７Ｄ１  支持部
７Ｄ２  枠状突起
７Ｄ３  切欠部
７Ｅ  第１情報表示板
７Ｅ１  接続部
７Ｆ，７Ｇ  第２情報表示板
７Ｈ  印刷シート
７Ｈ１〜７Ｈ４  シール側第１〜第４開口部
７Ｈ５  シール側音声出力用孔
７Ｈ６  シール側固定用開口部
８  パッキング部材
５１  第２筐体側主面部
５２〜５５  筐体側第５〜第８壁部
６１  第１筐体側主面部
６１Ａ，６１Ｂ  辺縁
６２〜６５  筐体側第１〜第４壁部
７１  蓋体側主面部
７２，７３  蓋体側第１，第２壁部
５２１  配線用開口部
５２２  設置用開口部
５２３  収容部
５２４  固定用ボス
５２４Ａ  ネジ孔
６１１  第１凹部
６１１Ａ〜６１１Ｄ，６１１Ｈ  筐体側第１〜第５開口部
６１１Ｅ〜６１１Ｇ  押圧用開口部
６１１Ｉ  筐体側音声出力用孔
６１１Ｊ  筐体側固定用孔
６１１Ｋ〜６１１Ｍ  揺動部
６２１，６３１  第２凹部
６２１Ａ  係止用凹部
７１１〜７１４  蓋体側第１〜第４開口部
７１５  蓋体側音声出力用孔
７１６  蓋体側固定用孔
７１６Ａ  カバー部材
７２１，７３１  係止用突起
Ｓｃ  固定ネジ
【図１】
0003186112.tif 000003
【図２】
0003186112.tif 000004
【図３】
0003186112.tif 000005
【図４】
0003186112.tif 000006
【図５】
0003186112.tif 000007
【図６】
0003186112.tif 000008
【図７】
0003186112.tif 000009